(57)【要約】【課題】単一のメモリを用いて映像信号の高速化を実現することができる駆動回路及びその駆動方法、並びに電気光学表示装置及び映像表示装置を提供する。【解決手段】フィールド反転方式の液晶表示装置本体に映像信号を供給する液晶表示装置用駆動回路において、フィールドメモリ、書き込み用ＦＩＦＯメモリ、読み出し用ＦＩＦＯメモリを備え、第Ｍフィールドの第ｍラインの映像信号が入力される１水平期間内に、読み出し用ＦＩＦＯメモリによりフィールドメモリから第Ｎフィールドの２水平ライン分の映像信号を読み出すと共に、第Ｍフィールドの第ｍラインの映像信号を書き込み用ＦＩＦＯメモリでフィールドメモリに書き込む。【選択図】図２
2008039979.tif 000002
【特許請求の範囲】
【請求項１】
フィールド単位で映像信号の極性が反転する電気光学表示装置本体に映像信号を供給する駆動回路において、
少なくとも２フィールド分の映像信号が書き込み可能に構成されたメモリと、
入力される映像信号の周波数を増大する第１の周波数制御手段と、
該第１の周波数制御手段により周波数が増大された映像信号を前記メモリに書き込む書き込み手段と、
前記メモリに書き込まれた映像信号を読み出す読み出し手段とを備え、
第Ｍ（Ｍ≧２）フィールドの第ｍ（ｍ≧１）ラインの映像信号が入力される１水平期間内に、前記読み出し手段により前記メモリから第Ｎ（Ｎ＜Ｍ）フィールドのｎ（ｎ≧２）水平ライン分の映像信号を読み出すと共に、第Ｍフィールドの第ｍラインの映像信号を前記第１の周波数制御手段で周波数を増大させた後に前記書き込み手段により前記メモリに書き込みを行なう
ことを特徴とする駆動回路。
【請求項２】
前記読み出し手段により読み出された映像信号の１水平期間を、第Ｍフィールドの第ｍラインの映像信号が入力される１水平期間を前記ｎで除した期間とすべく、前記読み出し手段により読み出された映像信号の周波数を低減する第２の周波数制御手段を備える
ことを特徴とする請求項１に記載の駆動回路。
【請求項３】
少なくとも２フィールド分の映像信号が書き込み可能に構成されたメモリを備え、フィールド単位で映像信号の極性が反転する電気光学表示装置本体に映像信号を供給する駆動回路の駆動方法であって、
第Ｍ（Ｍ≧２）フィールドの第ｍ（ｍ≧１）ラインの映像信号が入力される１水平期間内に第Ｎ（Ｎ＜Ｍ）フィールドのｎ（ｎ≧２）ライン分の映像信号を前記メモリから読み出す第１工程と、
該第１工程後であり第Ｍフィールドの第ｍラインの映像信号が入力される１水平期間内に第Ｍフィールドの第ｍラインの映像信号の周波数を増大して前記メモリに書き込む第２工程とを備える
駆動回路の駆動方法。
【請求項４】
前記第１工程により読み出した映像信号の１水平期間を、第Ｍフィールドの第ｍラインの映像信号が入力される１水平期間を前記ｎで除した期間とすべく、前記第１の工程により読み出された映像信号の周波数を低減する第３工程を備える
請求項３に記載の駆動回路の駆動方法。
【請求項５】
フィールド単位で映像信号の極性を反転する電気光学表示装置本体と、該電気光学表示装置本体に映像信号を供給する駆動回路とを備える電気光学表示装置において、
前記駆動回路は、少なくとも２フィールド分の映像信号が書き込み可能に構成されたメモリと、
入力される映像信号の周波数を増大する第１の周波数制御手段と、
該第１の周波数制御手段により周波数が増大された映像信号を前記メモリに書き込む書き込み手段と、
前記メモリに書き込まれた映像信号を読み出す読み出し手段とを有し、
第Ｍ（Ｍ≧２）フィールドの第ｍ（ｍ≧１）ラインの映像信号が入力される１水平期間内に、前記読み出し手段により前記メモリから第Ｎ（Ｎ＜Ｍ）フィールドのｎ（ｎ≧２）水平ライン分の映像信号を読み出すと共に、第Ｍフィールドの第ｍラインの映像信号を前記第１の周波数制御手段で周波数を増大させた後に前記書き込み手段により前記メモリに書き込みを行なう
ことを特徴とする電気光学表示装置。
【請求項６】
フィールド単位で映像信号の極性を反転する電気光学表示装置本体と、該電気光学表示装置本体に映像信号を供給する駆動回路とを有する電気光学表示装置を備え、該電気光学表示装置によって変調された光を用いて映像表示を行なう映像表示装置において、
前記駆動回路は、少なくとも２フィールド分の映像信号が書き込み可能に構成されたメモリと、
入力される映像信号の周波数を増大する第１の周波数制御手段と、
該第１の周波数制御手段により周波数が増大された映像信号を前記メモリに書き込む書き込み手段と、
前記メモリに書き込まれた映像信号を読み出す読み出し手段とを有し、
第Ｍ（Ｍ≧２）フィールドの第ｍ（ｍ≧１）ラインの映像信号が入力される１水平期間内に、前記読み出し手段により前記メモリから第Ｎ（Ｎ＜Ｍ）フィールドのｎ（ｎ≧２）水平ライン分の映像信号を読み出すと共に、第Ｍフィールドの第ｍラインの映像信号を前記第１の周波数制御手段で周波数を増大させた後に前記書き込み手段により前記メモリに書き込みを行なう
ことを特徴とする映像表示装置。
【発明の詳細な説明】
【技術分野】
【０００１】
本発明は駆動回路及びその駆動方法、並びに電気光学表示装置及び映像表示装置に関する。詳しくは、映像信号の周波数を増大する駆動回路及びその駆動方法、並びにこうした駆動回路を備える電気光学表示装置及び映像表示装置に係るものである。
【背景技術】
【０００２】
電気光学表示装置の一種である液晶表示装置の駆動方式には、液晶の劣化や配向膜に焼付きが生じることを抑制するために、ドット反転方式、ライン反転方式、フィールド反転方式（面反転方式）等の反転駆動方式が採用されている。
【０００３】
ここで、ドット反転方式やライン反転方式の場合にはクロストークが抑制できるという利点があるものの、隣接する画素電極に逆極性の電位が書き込まれることとなるために、隣接画素間で横電界が発生するという問題がある。なお、横電界は、液晶配向を乱して光抜けを生じさせることから、コントラスト比の低下や開口率の低下といった表示品質低下の大きな要因となってしまう。
【０００４】
一方、フィールド反転方式の場合には、上記した様な横電界の影響が殆ど無く今後の狭ピッチ化に有利であるものの、正極性フィールドと負極性フィールドとで中間電位に対する印加電圧が不可避的に非対称となってしまうために、フィールド周期のフリッカが発生してしまう。
【０００５】
そのために、フィールド反転方式を採用する場合には、フリッカ対策として液晶表示装置の高速駆動が必要となり、液晶表示装置の高速駆動化の方法としてフィールドメモリを使用した倍速駆動方式が採用されている（例えば、特許文献１参照。）。
以下、図面を参照して従来の液晶表示装置の高速駆動化方法について説明を行なう。
【０００６】
図５は従来の液晶駆動回路を説明するための模式図であり、ここで示す液晶駆動回路２０１は、第１のフィールドメモリ２０２及び第２のフィールドメモリ２０３、メモリ制御回路２０４、タイミング制御回路２０５等から構成されている。メモリ制御回路には映像信号が入力され、タイミング制御回路には垂直同期信号Ｖｓｙｎｃ及び水平同期信号Ｈｓｙｎｃが入力される様に構成されている。そして、メモリ制御回路は第１のフィールドメモリの書き込み／読み出し制御、第２のフィールドメモリの書き込み／読み出し制御を行い、タイミング制御回路は垂直同期信号Ｖｓｙｎｃ、水平同期信号Ｈｓｙｎｃに基づく各構成要素の動作タイミング制御を行う。なお、メモリ制御回路から出力される倍速化された映像信号はサンプルホールドドライバ２０６を介して液晶表示装置本体２０７に入力され、タイミング制御回路から出力される倍速化された垂直同期信号Ｖｓｙｎｃ'及び水平同期信号Ｈｓｙｎｃ'は液晶表示装置本体に入力される様に構成されている。
【０００７】
以上の様に構成された液晶駆動回路では、第１のフィールドメモリと第２のフィールドメモリは交互に一方に外部入力された映像信号を一時的に蓄えると共に、他方からは蓄積された映像信号を表示用に出力させることで映像信号の倍速化を実現している。
【０００８】
具体的な動作例としては、先ず、垂直同期信号Ｖｓｙｎｃ（６０Ｈｚ）に同期して外部から入力される第Ｍ（Ｍ≧２）フィールドの映像信号（図６中符合ａ参照。）を第１のフィールドメモリに一時的に蓄えると共に（図６中符合ｂ参照。）、第２のフィールドメモリから第（Ｍ−１）フィールドの走査期間内に一時的に蓄えられた第（Ｍ−１）フィールドの映像信号（図６中符合ｃ参照。）を２倍速で読み出しを行なう（図６中符合ｄ参照。）。なお、第Ｍフィールドの映像信号の第１のフィールドメモリへの書き込み及び第２のフィールドメモリからの第（Ｍ−１）フィールドの映像信号の読み出しは垂直同期信号Ｖｓｙｎｃの１周期期間内に行なわれる。
【０００９】
次に、垂直同期信号Ｖｓｙｎｃ（６０Ｈｚ）に同期して外部から入力される第（Ｍ＋１）フィールドの映像信号（図６中符合ｅ参照。）を第２のフィールドメモリに一時的に蓄えると共に（図６中符合ｆ参照。）、第１のフィールドメモリから第Ｍフィールドの走査期間内に一時的に蓄えられた第Ｍフィールドの映像信号（図６中符合ｇ参照。）を２倍速で読み出しを行なう（図６中符合ｈ参照。）。なお、第（Ｍ＋１）フィールドの映像信号の第２のフィールドメモリへの書き込み及び第１のフィールドメモリからの第Ｍフィールドの映像信号の読み出しは垂直同期信号Ｖｓｙｎｃの１周期期間内に行なわれる。
【００１０】
以上の動作を繰り返し行なってフィールドメモリ（第１のフィールドメモリ及び第２のフィールドメモリ）から読み出された映像信号をタイミング制御回路によって２倍速化された垂直同期信号Ｖｓｙｎｃ'（１２０Ｈｚ）に同期して液晶表示装置本体に出力（同一フィールドの映像信号を２度出力）することによって、液晶表示装置の高速駆動を実現している。
【００１１】
【特許文献１】特開２００５−３０１１７０号公報
【発明の開示】
【発明が解決しようとする課題】
【００１２】
しかしながら、上記した従来の液晶表示装置の高速駆動化方法では、少なくとも１フィールド分の映像信号を蓄えることができるフィールドメモリが複数個（上記の例では２個）必要であり、フィールド単位で映像信号の書き込みと読み出しとを交互に切替えることが求められる。そして、フィールド単位での切替えを行なうためには、フィールドメモリを制御する複数系統の入出力ポート（上記の例では２系統の入出力ポート）を設ける必要があり、特に液晶駆動回路をＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）として実装する場合など、外付けとなる大容量のフィールドメモリを制御することを考えるとシステムコスト上不利である。
【００１３】
また、書き込み時の動作周波数と比べて読み出し時の動作周波数を増大させる必要があり、フィールド単位で映像信号の書き込みと読み出しとを交互に切替えることを考え合わせると、動作周波数の切替え手段を備える必要がある。具体的には、第１のフィールドメモリ（第２のフィールドメモリ）に書き込みを行なう場合には例えば６０Ｈｚで動作を行ない、第１のフィールドメモリ（第２のフィールドメモリ）から読み出しを行なう場合には１２０Ｈｚで動作を行なう必要があるために、フィールド単位で映像信号の書き込みと読み出しとを交互に切替えるためには、動作周波数を６０Ｈｚと１２０Ｈｚとに交互に切替える手段を備える必要があるのである。
【００１４】
本発明は以上の点に鑑みて創案されたものであって、単一のメモリを用いて映像信号の高速化を実現することができる駆動回路及びその駆動方法、並びに電気光学表示装置及び映像表示装置を提供することを目的とするものである。
【課題を解決するための手段】
【００１５】
上記の目的を達成するために、本発明に係る駆動回路は、フィールド単位で映像信号の極性が反転する電気光学表示装置本体に映像信号を供給する駆動回路において、少なくとも２フィールド分の映像信号が書き込み可能に構成されたメモリと、入力される映像信号の周波数を増大する第１の周波数制御手段と、該第１の周波数制御手段により周波数が増大された映像信号を前記メモリに書き込む書き込み手段と、前記メモリに書き込まれた映像信号を読み出す読み出し手段とを備え、第Ｍ（Ｍ≧２）フィールドの第ｍ（ｍ≧１）ラインの映像信号が入力される１水平期間内に、前記読み出し手段により前記メモリから第Ｎ（Ｎ＜Ｍ）フィールドのｎ（ｎ≧２）水平ライン分の映像信号を読み出すと共に、第Ｍフィールドの第ｍラインの映像信号を前記第１の周波数制御手段で周波数を増大させた後に前記書き込み手段により前記メモリに書き込みを行なう。
【００１６】
ここで、第Ｍフィールドの第ｍラインの映像信号が入力される１水平期間内に、読み出し手段によりメモリから第Ｎフィールドのｎ水平ライン分の映像信号を読み出すと共に、第Ｍフィールドの第ｍラインの映像信号を第１の周波数制御手段で周波数を増大させた後に書き込み手段によりメモリに書き込みを行なうことによって、１水平期間内に１水平ライン分の映像信号をメモリに書き込むと共にｎライン分の映像信号をメモリから読み出すことができ、映像信号の周波数を増大することができる。
【００１７】
また、上記の目的を達成するために、本発明に係る駆動回路の駆動方法は、少なくとも２フィールド分の映像信号が書き込み可能に構成されたメモリを備え、フィールド単位で映像信号の極性が反転する電気光学表示装置本体に映像信号を供給する駆動回路の駆動方法であって、第Ｍ（Ｍ≧２）フィールドの第ｍ（ｍ≧１）ラインの映像信号が入力される１水平期間内に第Ｎ（Ｎ＜Ｍ）フィールドのｎ（ｎ≧２）ライン分の映像信号を前記メモリから読み出す第１工程と、該第１工程後であり第Ｍフィールドの第ｍラインの映像信号が入力される１水平期間内に第Ｍフィールドの第ｍラインの映像信号の周波数を増大して前記メモリに書き込む第２工程とを備える。
【００１８】
ここで、第Ｍフィールドの第ｍラインの映像信号が入力される１水平期間内に第Ｎフィールドのｎライン分の映像信号をメモリから読み出す第１工程と、第１工程後であり第Ｍフィールドの第ｍラインの映像信号が入力される１水平期間内に第Ｍフィールドの第ｍラインの映像信号の周波数を増大してメモリに書き込む第２工程とによって、１水平期間内に１水平ライン分の映像信号をメモリに書き込むと共にｎライン分の映像信号をメモリから読み出すことができ、映像信号の周波数を増大することができる。
【００１９】
また、上記の目的を達成するために、本発明に係る電気光学表示装置は、フィールド単位で映像信号の極性を反転する電気光学表示装置本体と、該電気光学表示装置本体に映像信号を供給する駆動回路とを備える電気光学表示装置において、前記駆動回路は、少なくとも２フィールド分の映像信号が書き込み可能に構成されたメモリと、入力される映像信号の周波数を増大する第１の周波数制御手段と、該第１の周波数制御手段により周波数が増大された映像信号を前記メモリに書き込む書き込み手段と、前記メモリに書き込まれた映像信号を読み出す読み出し手段とを有し、第Ｍ（Ｍ≧２）フィールドの第ｍ（ｍ≧１）ラインの映像信号が入力される１水平期間内に、前記読み出し手段により前記メモリから第Ｎ（Ｎ＜Ｍ）フィールドのｎ（ｎ≧２）水平ライン分の映像信号を読み出すと共に、第Ｍフィールドの第ｍラインの映像信号を前記第１の周波数制御手段で周波数を増大させた後に前記書き込み手段により前記メモリに書き込みを行なう。
【００２０】
また、上記の目的を達成するために、本発明に係る映像表示装置は、フィールド単位で映像信号の極性を反転する電気光学表示装置本体と、該電気光学表示装置本体に映像信号を供給する駆動回路とを有する電気光学表示装置を備え、該電気光学表示装置によって変調された光を用いて映像表示を行なう映像表示装置において、前記駆動回路は、少なくとも２フィールド分の映像信号が書き込み可能に構成されたメモリと、入力される映像信号の周波数を増大する第１の周波数制御手段と、該第１の周波数制御手段により周波数が増大された映像信号を前記メモリに書き込む書き込み手段と、前記メモリに書き込まれた映像信号を読み出す読み出し手段とを有し、第Ｍ（Ｍ≧２）フィールドの第ｍ（ｍ≧１）ラインの映像信号が入力される１水平期間内に、前記読み出し手段により前記メモリから第Ｎ（Ｎ＜Ｍ）フィールドのｎ（ｎ≧２）水平ライン分の映像信号を読み出すと共に、第Ｍフィールドの第ｍラインの映像信号を前記第１の周波数制御手段で周波数を増大させた後に前記書き込み手段により前記メモリに書き込みを行なう。
【００２１】
ここで、第Ｍフィールドの第ｍラインの映像信号が入力される１水平期間内に、読み出し手段によりメモリから第Ｎフィールドのｎ水平ライン分の映像信号を読み出すと共に、第Ｍフィールドの第ｍラインの映像信号を第１の周波数制御手段で周波数を増大させた後に書き込み手段によりメモリに書き込みを行なうことによって、１水平期間内に１水平ライン分の映像信号をメモリに書き込むと共にｎライン分の映像信号をメモリから読み出すことができ、映像信号の周波数を増大することができる。
【００２２】
なお、本発明の「電気光学表示装置」とは、例えば液晶表示装置、有機ＥＬ表示装置、電子ペーパー等の電気泳動表示装置、電子放出素子を利用した表示装置（Ｆｉｅｌｄ  Ｅｍｉｓｓｉｏｎ  Ｄｉｓｐｌａｙ及びＳｕｒｆａｃｅ−Ｃｏｎｄｕｃｔｉｏｎ  Ｅｌｅｃｔｒｏｎ−Ｅｍｉｔｔｅｒ  Ｄｉｓｐｌａｙ）等の各種電気光学表示装置を含むものであり、本発明の「映像表示装置」とは、例えば投射型表示装置、テレビジョン受像機、携帯電話、電子手帳、ワードプロセッサ、ビューファインダ型またはモニタ直視型ビデオテープレコーダ、ワークステーション、テレビ電話、ＰＯＳ端末、タッチパネル等の各種映像表示装置を含むものである。
【発明の効果】
【００２３】
上記した本発明の駆動回路及びその駆動方法、並びに電気光学表示装置及び映像表示装置では、単一のメモリを用いて映像信号の高速化が可能であり、メモリを制御するための入出力ポートも１系統で映像信号の高速化が実現できる。
【発明を実施するための最良の形態】
【００２４】
以下、本発明の実施の形態について図面を参照しながら説明し、本発明の理解に供する。
図１は本発明を適用した電気光学表示装置の一例である液晶表示装置を説明するための模式図であり、ここで示す液晶表示装置１は、フィールド単位で映像信号の極性を反転させるフィールド反転駆動方式を採用している液晶表示装置本体２、サンプルホールドドライバ３及び液晶表示装置用駆動回路４を備えている。
【００２５】
上記した液晶表示装置用駆動回路は、少なくとも２フィールド分の映像信号を蓄えることができるフィールドメモリ５と、外部から入力される映像信号を任意の転送速度に変換してフィールドメモリに書き込みを行なう書き込み用ＦＩＦＯ（Ｆｉｒｓｔ−Ｉｎ  Ｆｉｒｓｔ−Ｏｕｔ）メモリ６と、フィールドメモリから読み出した映像信号を外部から入力される映像信号に対して２倍速の転送速度に変換するための読み出し用ＦＩＦＯメモリ７と、フィールドメモリ、書き込み用ＦＩＦＯメモリ及び読み出し用ＦＩＦＯメモリの制御を行うメモリ制御回路８と、外部から入力される垂直同期信号Ｖｓｙｎｃ（６０Ｈｚ）及び水平同期信号Ｈｓｙｎｃ（４８．４ＫＨｚ）に基づいて液晶表示装置本体用のタイミング制御信号（Ｖｓｙｎｃ'（１２０Ｈｚ）及びＨｓｙｎｃ'（９６．８ＫＨｚ））を生成するタイミング制御回路９から構成されている。また、メモリ制御回路には映像信号が入力され、タイミング制御回路には垂直同期信号Ｖｓｙｎｃ及び水平同期信号Ｈｓｙｎｃが入力される様に構成されている。なお、メモリ制御回路から出力される倍速化された映像信号はサンプルホールドドライバを介して液晶表示装置本体に入力され、タイミング制御回路から出力されるタイミング制御信号は液晶表示装置本体に入力される様に構成されている。
【００２６】
ここで、本実施例では、書き込み用ＦＩＦＯメモリが、入力される映像信号の周波数を増大する第１の周波数制御手段としての機能と周波数が増大された映像信号をメモリに書き込む書き込み手段としての機能とを有しているが、第１の周波数制御手段と書き込み手段とは別個に設けられても良い。
同様に、本実施例では、読み出し用ＦＩＦＯメモリが、メモリに書き込まれた映像信号を読み出す読み出し手段としての機能と読み出された映像信号の周波数を低減する第２の周波数制御手段としての機能とを有しているが、読み出し手段及び第２の周波数制御手段とは別個に設けられても良い。
【００２７】
以上の様に構成された液晶表示装置用駆動回路では、外部から入力される映像信号を書き込み用ＦＩＦＯメモリによって任意の転送速度に変換してフィールドメモリに書き込むことができ、１ライン分の映像信号のフィールドメモリへの書き込み時間の短縮化を実現することができる。そして、映像信号が入力される１水平期間内で書き込み時間が短縮化されたことに伴って生み出された空き時間内にフィールドメモリから前フィールドの映像信号を２ライン分読み出して出力することで映像信号の倍速化を実現しているのであるが、以下、液晶表示装置用駆動回路の具体的な動作について説明を行なう。なお、以下では、１０２４×７６８（横×縦）の画素数を有する液晶表示装置に映像信号を供給する液晶表示装置用駆動回路を例に挙げて説明を行う。また、図２中「ライン（ｘ）」とは「第Ｍフィールドの第ｘライン」を意味するものとし、「ライン［ｘ］」とは「第（Ｍ−１）フィールドの第ｘライン」を意味するものとする。
【００２８】
具体的な動作としては、先ず、水平同期信号Ｈｓｙｎｃ（４８．４ＫＨｚ）に同期して外部から入力される第Ｍ（Ｍ≧２）フィールドの第１ラインの映像信号（図２中符合ａ参照。）が入力される１水平期間（図２中符合ｂ参照。）に、読み出し用ＦＩＦＯメモリによってフィールドメモリから第（Ｍ−１）フィールドの第１ラインの映像信号（図２中符合ｃ参照。）と第（Ｍ−１）フィールドの第２ラインの映像信号（図２中符合ｄ参照。）を読み出して外部から入力される映像信号に対して２倍速の転送速度に変換を行なった後に（図２中符合ｅ参照。）、書き込み用ＦＩＦＯメモリによって外部から入力された第Ｍフィールドの第１ラインの映像信号の転送速度を増大させて（図２中符合ｆ参照。）フィールドメモリに書き込みを行なう（図２中符合ｇ参照。）。これらの動作によって、第Ｍフィールドの第１ラインの映像信号が入力される１水平期間内に、第（Ｍ−１）フィールドの第１ラインの映像信号及び第２ラインの映像信号を読み出し用ＦＩＦＯメモリから出力することができると共に、第Ｍフィールドの第１ラインの映像信号をフィールドメモリに書き込むことができる。
【００２９】
次に、水平同期信号Ｈｓｙｎｃ（４８．４ＫＨｚ）に同期して外部から入力される第Ｍフィールドの第２ラインの映像信号（図２中符ｈ合参照。）が入力される１水平期間（図２中符合ｉ参照。）に、読み出し用ＦＩＦＯメモリによってフィールドメモリから第（Ｍ−１）フィールドの第３ラインの映像信号（図２中符合ｊ参照。）と第（Ｍ−１）フィールドの第４ラインの映像信号（図２中符合ｋ参照。）を読み出して外部から入力される映像信号に対して２倍速の転送速度に変換を行なった後に（図２中符合ｌ参照。）、書き込み用ＦＩＦＯメモリによって外部から入力された第Ｍフィールドの第２ラインの映像信号の転送速度を増大させて（図２中符合ｍ参照。）フィールドメモリに書き込みを行なう（図２中符合ｎ参照。）。これらの動作によって、第Ｍフィールドの第２ラインの映像信号が入力される１水平期間内に、第（Ｍ−１）フィールドの第３ラインの映像信号及び第４ラインの映像信号を読み出し用ＦＩＦＯメモリから出力することができると共に、第Ｍフィールドの第２ラインの映像信号をフィールドメモリに書き込むことができる。
【００３０】
同様の動作を第Ｍフィールドの第３８４ラインの映像信号が入力されるまで繰り返すことで、第（Ｍ−１）フィールドの全ラインの映像信号が読み出し用ＦＩＦＯメモリから出力される。即ち、第Ｍフィールドの前半の半分のライン（第１ライン〜第３８４ライン）の映像信号が入力されることで、第（Ｍ−１）フィールドの全ラインの映像信号が出力されることとなる。
【００３１】
続いて、水平同期信号Ｈｓｙｎｃ（４８．４ＫＨｚ）に同期して外部から入力される第Ｍフィールドの第３８５ラインの映像信号（図２中符合ｏ参照。）が入力される１水平期間（図２中符合ｐ参照。）に、読み出し用ＦＩＦＯメモリによってフィールドメモリから第（Ｍ−１）フィールドの第１ラインの映像信号（図２中符合ｑ参照。）と第（Ｍ−１）フィールドの第２ラインの映像信号（図２中符合ｒ参照。）を読み出して外部から入力される映像信号に対して２倍速の転送速度に変換を行なった後に（図２中符合ｓ参照。）、書き込み用ＦＩＦＯメモリによって外部から入力された第Ｍフィールドの第３８５ラインの映像信号の転送速度を増大させて（図２中符合ｔ参照。）フィールドメモリに書き込みを行なう（図２中符合ｕ参照。）。これらの動作によって、第Ｍフィールドの第３８５ラインの映像信号が入力される１水平期間内に、第（Ｍ−１）フィールドの第１ラインの映像信号及び第２ラインの映像信号を読み出しＦＩＦＯメモリから出力することができると共に、第Ｍフィールドの第３８５ラインの映像信号をフィールドメモリに書き込むことができる。
【００３２】
次に、水平同期信号Ｈｓｙｎｃ（４８．４ＫＨｚ）に同期して外部から入力される第Ｍフィールドの第３８６ラインの映像信号（図２中符合ｖ参照。）が入力される１水平期間（図２中符合ｗ参照。）に、読み出し用ＦＩＦＯメモリによってフィールドメモリから第（Ｍ−１）フィールドの第３ラインの映像信号（図２中符合ｘ参照。）と第（Ｍ−１）フィールドの第４ラインの映像信号（図２中符合ｙ参照。）を読み出して外部から入力される映像信号に対して２倍速の転送速度に変換を行なった後に（図２中符合ｚ参照。）、書き込み用ＦＩＦＯメモリによって外部から入力された第Ｍフィールドの第３８６ラインの映像信号の転送速度を増大させて（図２中符合Ａ参照。）フィールドメモリに書き込みを行なう（図２中符合Ｂ参照。）。これらの動作によって、第Ｍフィールドの第３８６ラインの映像信号が入力される１水平期間内に、第（Ｍ−１）フィールドの第３ラインの映像信号及び第（Ｍ−１）フィールドの第４ラインの映像信号を読み出しＦＩＦＯメモリから出力することができると共に、第Ｍフィールドの第３８６ラインの映像信号をフィールドメモリに書き込むことができる。
【００３３】
同様の動作を第Ｍフィールドの第７８６ラインの映像信号が入力されるまで繰り返すことで、第（Ｍ−１）フィールドの全ラインの映像信号が読み出し用ＦＩＦＯメモリから出力される。即ち、第Ｍフィールドの後半の半数のライン（第３８５ライン〜第７８６ライン）の映像信号が入力されることで、第（Ｍ−１）フィールドの全ラインの映像信号が出力されることとなる。
【００３４】
上記の動作によって、第Ｍフィールドの映像信号が入力される間に、読み出し用ＦＩＦＯメモリから２倍速の転送速度に変換された第（Ｍ−１）フィールドの映像信号が２フィールド分出力されることとなる。そして、読み出し用ＦＩＦＯメモリから出力された映像信号は、タイミング制御回路によって２倍速化された水平同期信号Ｈｓｙｎｃ'（９６．８ＫＨｚ）に同期して液晶表示装置用駆動回路から液晶表示装置本体に出力される。
このことは、液晶表示装置用駆動回路に垂直同期信号Ｖｓｙｎｃ（６０Ｈｚ）に同期して入力された映像信号を、タイミング制御回路によって２倍速化された垂直同期信号Ｖｓｙｎｃ'（１２０Ｈｚ）に同期して液晶表示装置本体に出力（同一フィールドの映像信号を２度出力）することになり（図３参照。）、液晶表示装置の高速駆動を実現することとなる。
【００３５】
上記した本発明を適用した液晶表示装置では、単一のフィールドメモリでフリッカ対策である倍速駆動が可能であり、フィールドメモリを制御する入出力ポートを１系統で実現できるために、システムコストが低減できる。また、複数のフィールドメモリを使用した場合に必要となる動作周波数の切り替え手段も不要となる。
【００３６】
ここで、上記した液晶表示装置用駆動回路では、読み出し用ＦＩＦＯメモリによって直前のフィールドの映像信号を読み出す場合を例に挙げて説明を行なったが、具体的には、第Ｍフィールドの映像信号が入力されている際に第（Ｍ−１）フィールドの映像信号を読み出す場合を例に挙げて説明を行なったが、読み出し用ＦＩＦＯメモリによって読み出される映像信号は必ずしも直前のフィールドのものである必要は無い。
【００３７】
図４は本発明を適用した映像表示装置の一例である反射型液晶プロジェクタを説明するための模式図であり、ここで示す反射型液晶プロジェクタ１００は、いわゆる３板方式として赤、緑、青の３原色に対応した３つのライトバルブに図１に示す液晶表示装置（反射型液晶表示装置）を使用し、スクリーン（図示せず）上に拡大投影されたカラー映像を表示する投射型の液晶表示装置である。
【００３８】
具体的に、この反射型液晶プロジェクタは、照明光を出射する光源であるランプ１０１と、ランプからの照明光を赤色光（Ｒ），緑色光（Ｇ），青色光（Ｂ）に分離する分離光学手段であるダイクロイック色分離フィルタ１０２及びダイクロイックミラー１０３と、分離された赤色光（Ｒ），緑色光（Ｇ），青色光（Ｂ）をそれぞれ変調して反射する光変調手段であるＲライトバルブ１０４Ｒ，Ｇライトバルブ１０４Ｇ及びＢライトバルブ１０４Ｂと、変調された赤色光（Ｒ），緑色光（Ｇ），青色光（Ｂ）を合成する合成光学手段である合成プリズム１０５と、合成された照明光をスクリーンに投射する投射手段である投射レンズ１０６とを備えている。
【００３９】
ここで、ランプは、赤色光（Ｒ）、緑色光（Ｇ）及び青色光（Ｂ）を含む白色光を照射するものであり、例えばハロゲンランプや、メタルハロゲンランプ、キセノンランプ等からなる。
【００４０】
また、ランプとダイクロイック色分離フィルタとの間の光路中には、ランプから出射された照明光の照度分布を均一化するフライアイレンズ１０７や、照明光のＰ，Ｓ偏光成分を一方の偏光成分（例えばＳ偏光成分）に変換する偏光変換素子１０８、照明光を集光させるコンデンサレンズ１０９等が配置されている。
【００４１】
ダイクロイック色分離フィルタは、ランプから照射された白色光を青色光（Ｂ）とその他の色光（Ｒ，Ｇ）とに分離する機能を有し、分離された青色光（Ｂ）とその他の色光（Ｒ，Ｇ）とを互いに逆向きに反射させる様に構成されている。
【００４２】
また、ダイクロイック色分離フィルタとＢライトバルブとの間には、分離された青色光（Ｂ）をＢライトバルブに向けて反射させる全反射ミラー１１０が配置され、ダイクロイック色分離フィルタとダイクロイックミラーとの間には、分離されたその他の色光（Ｒ，Ｇ）をダイクロイックミラーに向けて反射させる全反射ミラー１１１が配置されている。
【００４３】
ダイクロイックミラーは、その他の色光（Ｒ，Ｇ）を赤色光（Ｒ）と緑色光（Ｇ）とに分離する機能を有し、分離された赤色光（Ｒ）をＲライトバルブに向かって透過させ、分離された緑色光（Ｇ）をＧライトバルブに向かって反射させる。
【００４４】
また、各ライトバルブ１０４Ｒ，１０４Ｇ，１０４Ｂと合成プリズムとの間には、それぞれ分離された各色光Ｒ，Ｇ，Ｂを各ライトバルブに導くＲ，Ｇ，Ｂ偏光ビームスプリッタ１１２Ｒ，１１２Ｇ，１１２Ｂが配置されている。これらＲ，Ｇ，Ｂ偏光ビームスプリッタは、入射した各色光Ｒ，Ｇ，ＢをＰ偏光成分とＳ偏光成分とに分離する機能を有し、一方の偏光成分（例えばＳ偏光成分）をＲ，Ｇ，Ｂライトバルブに向かって反射させ、他方の偏光成分（例えばＰ偏光成分）を合成プリズムに向かって透過させる。
【００４５】
Ｒ，Ｇ，Ｂライトバルブは、上記した反射型液晶表示装置からなり、各偏光ビームスプリッタによって導かれた一方の偏光成分（例えばＳ偏光成分）の光を映像信号に応じて偏光変調させながら、その偏光変調された光を各偏光ビームスプリッタに向かって反射させる。
【００４６】
合成プリズムは、いわゆるクロスキューブプリズムであり、各偏光ビームスプリッタを通過した他方の偏光成分（例えばＰ偏光成分）の各色光Ｒ，Ｇ，Ｂを合成する機能を有し、合成された光を投射レンズに向かって出射する。
【００４７】
投射レンズは、合成プリズムからの光をスクリーンに向かって拡大投影する機能を有している。
【００４８】
以上の様に構成される反射型液晶プロジェクタでは、ランプから出射された白色光がダイクロイック色分離フィルタ及びダイクロイックミラーによって赤色光（Ｒ），緑色光（Ｇ），青色光（Ｂ）に分離される。これら分離された赤色光（Ｒ），緑色光（Ｇ），青色光（Ｂ）は、Ｓ偏光成分の光であり、各偏光ビームスプリッタを通って各ライトバルブへと入射される。各ライトバルブに入射された赤色光（Ｒ），緑色光（Ｇ），青色光（Ｂ）は、各ライトバルブの各画素に印加される駆動電圧に応じて偏光変調された後、各偏光ビームスプリッタに向かって反射される。そして、これら変調された赤色光（Ｒ），緑色光（Ｇ），青色光（Ｂ）は、Ｐ偏光成分の光のみが各偏光ビームスプリッタを透過し、合成プリズムによって合成され、この合成された光が投射レンズによってスクリーン上に拡大投射される。
【００４９】
以上の様にして、この反射型液晶プロジェクタでは、ライトバルブによって変調された光に応じた映像をスクリーン上に拡大投影することでカラー映像表示を行なう。
【００５０】
ところで、各ライトバルブを構成する反射型液晶表示装置は、上述した様に、単一のフィールドメモリでフリッカ対策である倍速駆動が可能であり、フィールドメモリを制御する入出力ポートを１系統で実現できるために、ここで示す反射型液晶プロジェクタにおいても、システムコストが低減できる。また、複数のフィールドメモリを使用した場合に必要となる動作周波数の切り替え手段も不要となる。
【００５１】
なお、本実施例では反射型プロジェクタのようにスクリーンに投射する投射型の映像表示装置を例に挙げて説明を行ったが、本発明は反射型液晶表示装置を直接見るような直視型の映像表示装置にも広く適用可能である。
【図面の簡単な説明】
【００５２】
【図１】本発明を適用した電気光学表示装置の一例である液晶表示装置を説明するための模式図である。
【図２】液晶表示装置用駆動回路の動作を説明するための模式図（１）である。
【図３】液晶表示装置用駆動回路の動作を説明するための模式図（２）である。
【図４】本発明を適用した映像表示装置の一例である反射型液晶プロジェクタを説明するための模式図である。
【図５】従来の液晶駆動回路を説明するための模式図である。
【図６】従来の液晶駆動回路の動作を説明するための模式図である。
【符号の説明】
【００５３】
１    液晶表示装置
２    液晶表示装置本体
３    サンプルホールドドライバ
４    液晶表示装置用駆動回路
５    フィールドメモリ
６    書き込み用ＦＩＦＯメモリ
７    読み出し用ＦＩＦＯメモリ
８    メモリ制御回路
９    タイミング制御回路
１００    反射型液晶プロジェクタ
１０１    ランプ
１０２    色分離フィルタ
１０３    ダイクロイックミラー
１０４Ｒ  Ｒライトバルブ
１０４Ｇ  Ｇライトバルブ
１０４Ｂ  Ｂライトバルブ
１０５  合成プリズム
１０６  投射レンズ
１０７  フライアイレンズ
１０８  偏光変換素子
１０９  コンデンサレンズ
１１０，１１１  全反射ミラー
１１２  偏光ビームスプリッタ
【図１】
2008039979.tif 000003
【図２】
2008039979.tif 000004
【図３】
2008039979.tif 000005
【図４】
2008039979.tif 000006
【図５】
2008039979.tif 000007
【図６】
2008039979.tif 000008